(57)【要約】【課題】上着の外観を損なうことなく、かつ、着用時に腕の上げ下げ等の動作がしやすい上着を提供する。【解決手段】表身頃２と、その表身頃２に対する裏地としての裏身頃３と、を備えてなる上着１であって、裏身頃３には、横方向において折れひだ状に裏地が重なってできるプリーツ部７およびプリーツ部８が、袖ぐり６近傍を基点として上着１の裾に向かってほぼ縦方向に延びるように設けられていることを特徴とする。【選択図】図２
0003187260.tif 000002
【実用新案登録請求の範囲】
【請求項１】
身頃、袖および襟を有し、袖ぐりにおいて前記袖が前記身頃に縫着されており、前記身頃が、表地としての表身頃と、その表身頃に対する裏地としての裏身頃と、を備えてなる上着であって、
前記裏身頃には、横方向において折れひだ状に裏地が重なってできるプリーツ部が、前記袖ぐり近傍を基点として当該上着の裾に向かってほぼ縦方向に延びるように設けられていることを特徴とする、
上着。
【請求項２】
前記表身頃は、前身頃と、脇身頃と、後身頃と、を備え、
前記裏身頃は、前記前身頃の裏に設けられた前身頃裏地と、前記脇身頃の裏に設けられた脇身頃裏地と、前記後身頃の少なくとも上部の裏に設けられた後身頃裏地と、を備え、
前記プリーツ部は、前記前身頃裏地と前記脇身頃裏地との縫着部に沿って、および／または、前記脇身頃裏地と前記後身頃裏地との縫着部に沿って設けられていることを特徴とする、
請求項１に記載の上着。
【請求項３】
前記後身頃裏地は、前記後身頃の下端まで延設されており、
前記後身頃裏地の背中心部に、前記襟の近傍を基点として当該上着の裾に向かって縦方向に延びるプリーツ部が設けられていることを特徴とする、
請求項１または２に記載の上着。
【考案の詳細な説明】
【技術分野】
【０００１】
本考案は、上着に関する。さらに詳しくは、ジャケットなどのスーツ用の上着に関する。
【背景技術】
【０００２】
従来の一般的な上着は、身頃、袖および襟を有し、袖ぐりにおいて袖が身頃に縫着されている。近年、特にジャケットなどのスーツ用上着は、体のラインに沿うように仕立てられたものが主流となっている。このように仕立てられた上着は、上着と着用者の体との間にゆとりが少ないため、着用した状態で腕を上げ下げしたり、前方に出したりする動作をしたときには、背中部分に突っ張りが生じてしまい、腕が動かし難いという問題がある。
【０００３】
上記の問題を解決するため、特許文献１（実用新案登録第３０５０４３２号公報）の上着は、後身の袖の付け根付近に開口するノーフォーク部（非縫着部）４を設け、該ノーフォーク部より内方で後身と裏身頃との間にアコーデオンプリーツ加工した通気性部材６を介在させている。文献１では、上記のような構成とすることで、着衣時や作業時の諸動作が楽にできるようになった、としている（文献１の段落［０００５］および［０００６］）。
【先行技術文献】
【特許文献】
【０００４】
【特許文献１】実用新案登録第３０５０４３２号公報
【考案の概要】
【考案が解決しようとする課題】
【０００５】
しかし、文献１の上着は、腕の動きの自由度を確保するために設けられるノーフォーク部（非縫着部）が上着の表面に露出してしまうため、適用できる上着の種類が制限されるとともに、上着の外観が損なわれるという問題がある。
【０００６】
本考案の目的は、上着の外観を損なうことなく、かつ、着用時に腕の上げ下げ等の動作がしやすい上着を提供することにある。
【課題を解決するための手段】
【０００７】
本考案は、身頃、袖および襟を有し、袖ぐりにおいて袖が身頃に縫着されており、身頃が、表地としての表身頃と、その表身頃に対する裏地としての裏身頃と、を備えてなる上着であって、裏身頃には、横方向において折れひだ状に裏地が重なってできるプリーツ部が、袖ぐり近傍を基点として当該上着の裾に向かってほぼ縦方向に延びるように設けられていることを特徴としている。
【０００８】
好ましくは、表身頃は、前身頃と、脇身頃と、後身頃と、を備え、裏身頃は、前身頃の裏に設けられた前身頃裏地と、脇身頃の裏に設けられた脇身頃裏地と、後身頃の少なくとも上部の裏に設けられた後身頃裏地と、を備え、プリーツ部は、前身頃裏地と脇身頃裏地との縫着部に沿って、および／または、脇身頃裏地と後身頃裏地との縫着部に沿って設けられていることを特徴としている。
【０００９】
さらに好ましくは、後身頃裏地は、後身頃の下端まで延設されており、後身頃裏地の背中心部に、襟の近傍を基点として当該上着の裾に向かって縦方向に延びるプリーツ部が設けられていることを特徴としている。
【考案の効果】
【００１０】
本考案の上着では、上記特徴のように、裏身頃においてプリーツ部が設けられており、しかも、着用時に腕の上げ下げ等の動作を行った際に袖ぐり近傍に設けられた折れひだ状のプリーツ部が横方向に広がることによって、背中部分に突っ張りを生じ難くすることができる。
【００１１】
また、後身頃の背中心部にもプリーツ部が設けられていることで、着用時に腕の上げ下げ等の動作を行った際に後身頃に設けられたプリーツ部も横方向に広がることによって、より一層背中部分に突っ張りを生じ難くすることができる。
【００１２】
したがって、上着の外観を損なうことなく、かつ、着用時に腕の上げ下げ等の動作がしやすい上着を提供することができる。
【図面の簡単な説明】
【００１３】
【図１】本考案の上着の正面図である。
【図２】本考案の第一実施形態である総裏仕様の上着の内側（裏地）を表す部分平面図である。
【図３】図３は第一実施形態を示し、（ａ）〜（ｃ）は、脇身頃裏地と後身頃裏地との縫着部に沿って設けられているプリーツ部の作製手順を説明する図であり、（ｄ）は（ｃ）におけるＸ−Ｘ矢視断面図であり、（ｅ）は（ｄ）で示したプリーツ部が広がった状態を表す図である。
【図４】本考案の第二実施形態の背抜き仕様の上着の内側（裏地）を表す部分平面図である。
【図５】図５は第二実施形態を示し、（ａ）〜（ｅ）は、脇身頃裏地と後身頃裏地との縫着部および脇身頃裏地と後身頃との縫着部に沿って設けられているプリーツ部の作製手順を説明する図であり、（ｆ）は（ｅ）におけるＹ−Ｙ矢視断面図であり、（ｇ）は（ｆ）で示したプリーツ部が広がった状態を表す図である。
【考案を実施するための形態】
【００１４】
本考案の上着を図面を参照しながら説明する。なお、以下では、スーツ用上着を例に説明する。
【００１５】
図１および図２に示すように、本考案の上着１は、袖４および襟５以外の部分である身頃（２、３）を有し、この身頃（２、３）は、表地としての表身頃２と、その表身頃２に対する裏地としての裏身頃３と、を有している。そして、袖ぐり６において、袖４が表身頃２および裏身頃３に縫着されている。
【００１６】
表身頃２は、前身頃２ａ、脇身頃２ｂおよび後身頃２ｃを備えており、それらを互いに縫着することによって構成されている。
【００１７】
また、裏身頃３は、前身頃２ａの裏に設けられた前身頃裏地３ａ、脇身頃２ｂの裏に設けられた脇身頃裏地３ｂ、および後身頃２ｃの裏に設けられた後身頃裏地３ｃを備えており、それらを互いに縫着することによって構成されている。本実施形態の上着１は、後身頃裏地３ｃが後身頃２ｃの下端近傍まで設けられた、いわゆる総裏仕様となっている。
【００１８】
上着１の裏身頃３には、前身頃裏地３ａと脇身頃裏地３ｂとが折れひだ状に重なってできるプリーツ部７、および、脇身頃裏地３ｂと後身頃裏地３ｃとが折れひだ状に重なってできるプリーツ部８が設けられている。
【００１９】
これらのプリーツ部７およびプリーツ部８はいずれも、袖ぐり６近傍を基点とし、それぞれ前身頃裏地３ａと脇身頃裏地３ｂとの縫着部３ｄに沿って、および、脇身頃裏地３ｂと後身頃裏地３ｃとの縫着部３ｅに沿ってほぼ縦方向（上着１の裾方向）に延設されている。本実施形態では、プリーツ部７およびプリーツ部８は、袖ぐり６近傍から上着１の裾までの長さの約１／３の位置まで設けられている。
【００２０】
以下に、図３（ａ）〜（ｃ）を参照しながら、脇身頃裏地３ｂと後身頃裏地３ｃとの縫着部３ｅに沿って設けられているプリーツ部８の作製手順について示す。なお、脇身頃裏地３ｂおよび後身頃裏地３ｃの裁断した状態（縫い合わせる前の状態）の生地には、それぞれ突出片３ｆおよび突出片３ｇが設けられている（図３（ａ）参照）。
（１）まず、後身頃裏地３ｃに設けられている突出片３ｇを矢印Ａ方向へ裏側に折り返す（図３（ａ）参照）。
（２）次に、折り返した突出片３ｇと、脇身頃裏地３ｂに設けられている突出片３ｆとを重ね合わせる（図３（ｂ）参照）。
（３）そして、突出片３ｆと、突出片３ｇとの重なった部分の縁を縫い合わせる。この際、突出片３ｆと突出片３ｇとの重なり部分の全周を縫い合わせるのではなく、突出片３ｆと突出片３ｇとの重なり部分の各辺に沿った破線３ｈで示す箇所のみを縫い合わせ、脇身頃裏地３ｂと後身頃裏地３ｃとの境界部分は縫い合わせないでおく。こうすることにより、プリーツ部８に開き代８ａが形成される（図３（ｃ）参照。符号３ｈは、突出片３ｆと突出片３ｇとの縫着部を表している）。
【００２１】
上記の手順により、脇身頃裏地３ｂと後身頃裏地３ｃとが折れひだ状に重なってできたプリーツ部８が、脇身頃裏地３ｂと後身頃裏地３ｃとの縫着部３ｅに沿って縦方向に形成される。そして、このプリーツ部８は開き代８ａを有しているため、プリーツ部８は横方向に広がることができる。（図３（ｄ）および（ｅ）参照）。
【００２２】
なお、前身頃裏地３ａと脇身頃裏地３ｂとの縫着部３ｄに沿って設けられるプリーツ部７も、プリーツ部８と同様の手順により作製することができ、プリーツ部７もプリーツ部８と同様に開き代７ａを有している。
【００２３】
また、本実施形態では、後身頃裏地３ｃの背中心部に、後身頃裏地３ｃを横方向に折りたたんで形成したプリーツ部９が設けられている（図２参照）。このプリーツ部９は、襟５近傍を基点とし、上着１の裾に向かって縦方向にベント１０まで延びている。そして、このプリーツ部９も開き代９ａを有している。
【００２４】
本考案の上着１には、袖ぐり６近傍に、それぞれ開き代７ａおよび開き代８ａを有する折れひだ状のプリーツ部７およびプリーツ部８が設けられているため、上着１の着用時に腕の上げ下げ等の動作を行った際には、プリーツ部７およびプリーツ部８が横方向に広がることによって、背中部分に突っ張りを生じ難くすることができる。さらに、後身頃裏地３ｃの背中心部にも開き代９ａを有するプリーツ部９が設けられているため、上着１の着用時に腕の上げ下げ等の動作を行った際に、プリーツ部９が横方向に広がることによってより一層背中部分に突っ張りを生じ難くすることができる。
【００２５】
［第二実施形態］
本実施形態では、図４に示すように、後身頃２ｃの上部にのみ後身頃裏地３ｃが設けられた、いわゆる背抜き仕様の場合について説明する。なお、上着１の基本的な構成は、第一実施形態と同様であるため、説明は省略する。
【００２６】
本実施形態でも、第一実施形態と同様に、前身頃裏地３ａと脇身頃裏地３ｂとが折れひだ状に重なってできるプリーツ部７が、袖ぐり６近傍を基点とし、前身頃裏地３ａと脇身頃裏地３ｂとの縫着部３ｄに沿って設けられている。
【００２７】
一方で、脇身頃裏地３ｂが折れひだ状に重なってできるプリーツ部１１が、袖ぐり６近傍を基点とし、脇身頃裏地３ｂと後身頃裏地３ｃとの縫着部３ｅおよび脇身頃裏地３ｂと後身頃２ｃとの縫着部３ｉに沿ってほぼ縦方向に設けられている。プリーツ部１１も、袖ぐり６近傍から上着１の裾までの長さの約１／３の位置まで設けられている。
【００２８】
以下に、図５（ａ）〜（ｅ）を参照しながら、脇身頃裏地３ｂと後身頃裏地３ｃとの縫着部３ｅおよび脇身頃裏地３ｂと後身頃２ｃとの縫着部３ｉに沿って設けられているプリーツ部１１の作製手順について示す。なお、図５（ｂ）〜（ｄ）は、図５（ａ）に示す脇身頃裏地３ｂを裏側から見た図である。脇身頃裏地３ｂの裁断した状態（縫い合わせる前の状態）の生地には、突出片３ｊが設けられている。
（１）まず、脇身頃裏地３ｂに設けられている突出片３ｊを矢印Ｂ方向へ裏側に折り返す（図５（ａ）参照）。
（２）次に、折り返した突出片３ｊを、線Ｃに沿って、矢印Ｄ方向へさらに二重に折り返す（図５（ｂ）および（ｃ）参照。）。
（３）そして、折り返した突出片３ｊの縁を破線３ｋに沿って縫着し、袖ぐり６の曲線に沿って突出片３ｊの余分な部分を切り落とす。この際、折り返した突出片３ｊの縁全周を縫い合わせるのではなく、突出片３ｊの各辺に沿った破線３ｋで示す箇所のみを縫い合わせ、脇身頃裏地３ｂと後身頃２ｃとの境界部分は縫い合わせないでおく。こうすることにより、プリーツ部１１に開き代１１ａが形成されることになる（図５（ｄ）および（ｅ）参照。符号３ｋは、突出片ｊの折り返し部分の縫着部を表している。なお、図５（ｅ）は、図５（ｄ）を裏側から見た図であり、すなわち図５（ａ）と同じ方向から見た図である）。
【００２９】
上記の手順により、脇身頃裏地３ｂが折れひだ状に重なってできるプリーツ部１１が、脇身頃裏地３ｂと後身頃裏地３ｃとの縫着部３ｅおよび脇身頃裏地３ｂと後身頃２ｃとの縫着部３ｉに沿って形成される。そして、このプリーツ部１１は開き代１１ａを有しているため、プリーツ部１１は横方向に広がることができる（図５（ｆ）および（ｇ）参照）。
【００３０】
本実施形態の場合であっても、袖ぐり６近傍に、それぞれ開き代７ａおよび開き代１１ａを有する折れひだ状のプリーツ部７およびプリーツ部１１が設けられているため、上着１の着用時に腕の上げ下げ等の動作を行った際に、プリーツ部７およびプリーツ部１１が横方向に広がることによって、背中部分に突っ張りを生じ難くすることができる。
【００３１】
［その他の実施形態］
上記第一実施形態および第二実施形態では、前身頃裏地３ａと脇身頃裏地３ｂとの縫着部３ｄ、および脇身頃裏地３ｂと後身頃裏地３ｃとの縫着部３ｅまたは脇身頃裏地３ｂと後身頃２ｃとの縫着部３ｉのいずれにもプリーツ部を設けた場合について説明したが、プリーツ部はいずれか一方のみに設けてもよい。
【００３２】
上記第一実施形態および第二実施形態では、プリーツ部７、プリーツ部８およびプリーツ部１１は、袖ぐり６近傍から上着１の裾までの長さの約１／３の位置まで設けられているが、プリーツ部７、プリーツ部８およびプリーツ部１１は、各裏身頃３（前身頃裏地３ａ、脇身頃裏地３ｂおよび後身頃裏地３ｃ）の下端近傍まで設けられていてもよい。
【００３３】
上記第一実施形態および第二実施形態では、スーツ用上着を例として説明したが、本考案の上着はスーツ用上着以外に、ブルゾンやコートなどの上着にも適用できる。また、本考案の上着は、男性用上着や女性用上着といった性別を問わず適用できる。
【００３４】
本考案は上記実施の形態に限定されるものではなく、その要旨を逸脱しない範囲で適宜変更可能である。
【符号の説明】
【００３５】
１      上着
２      表身頃
２ａ    前身頃
２ｂ    脇身頃
２ｃ    後身頃
３      裏身頃
３ａ    前身頃裏地
３ｂ    脇身頃裏地
３ｃ    裏身頃裏地
３ｄ    縫着部
３ｅ    縫着部
３ｆ    突出片
３ｇ    突出片
３ｈ    縫着部
３ｉ    縫着部
３ｊ    突出片
３ｋ    縫着部
４      袖
５      襟
６      袖ぐり
７      プリーツ部
７ａ    開き代
８      プリーツ部
８ａ    開き代
９      プリーツ部
９ａ    開き代
１０    ベント
１１    プリーツ部
１１ａ  開き代
Ａ      矢印
Ｂ      矢印
Ｃ      折り返し線
Ｄ      矢印
【図１】
0003187260.tif 000003
【図２】
0003187260.tif 000004
【図３】
0003187260.tif 000005
【図４】
0003187260.tif 000006
【図５】
0003187260.tif 000007